(57)【特許請求の範囲】
【請求項１】
記録媒体のディスク２が回転自在に収容される本体ケース１にディスク出し入れ用の開口部５が設けられており、
この開口部５は、本体ケース１の一側面８の全長にわたって開口された主面開口５ａと、該一側面８の両端に隣接する本体ケース１の他側壁６・６の該一側面８寄り端部に開口された側面開口５ｂ・５ｂとからなり、
本体ケース１に、開口部５を開閉する蓋７が本体ケース１の平面と平行な面上で枢軸２０まわりに水平回動自在に装着されているディスクカートリッジにおいて、
蓋７が閉じ状態で該蓋７の上下面と対向する本体ケース１の上壁２２または下壁２８に、蓋開閉検知孔２７が開口されており、
蓋７が、主面開口５ａをこれの内部に入り込んで塞ぐ主面壁９と、この主面壁９の一端部から略直角に延出形成されて側面開口５ｂをこれの内部に入り込んで塞ぐ側面壁１０と、主面壁９の内面側にディスク２の円周に沿うよう円弧状に形成された内周壁１１とを有し、前記側面壁１０の延出側端部と内周壁１１の一端部とが一体につながれ、前記主面壁９と内周壁１１との間に肉抜き空間部１７が設けられており、
蓋７の肉抜き空間部１７内に、蓋開閉検知孔２７を開閉する弁体２９が、蓋開閉検知孔２７に突入して該蓋開閉検知孔２７を閉じる位置と、蓋開閉検知孔２７を開ける位置とにわたって上下移動可能に組み込まれ、蓋開閉検知孔２７の開位置では弁体２９の位置決め固定手段を設けてあるディスクカートリッジ。
【請求項２】
前記蓋７の肉抜き空間部１７内に、該蓋７の閉じ状態で蓋開閉検知孔２７と連通する中空部３１を有する縦筒部３０が設けられており、
前記縦筒部３０の中空部３１内に、前記弁体２９が、蓋開閉検知孔２７に突入して該蓋開閉検知孔２７を閉じる位置と、中空部３１の内奥へ押し込まれて蓋開閉検知孔２７を開ける位置とにわたって上下移動可能に組み込まれ、蓋開閉検知孔２７の開位置では弁体２９の位置決め固定手段を設けてある請求項１記載のディスクカートリッジ。
【請求項３】
前記位置決め固定手段は、弁体２９の外周に縦筒部３０の中空部３１の内周面に対し摺接自在な弾性逆止爪３７を設け、縦筒部３０の中空部３１の内奥に前記弾性逆止爪３７が係合する係合溝３４を設けている請求項２記載のディスクカートリッジ。
【発明の詳細な説明】
【０００１】
【発明の属する技術分野】
本発明は、光ディスクや光磁気ディスク等の記録媒体であるディスクがハードケースに出し入れ可能に収容されているディスクカートリッジに関する。
【０００２】
【従来の技術】
この種のディスクカートリッジに、特開平５−２４２６２６号公報がある。そこでは、本体ケースの後側端部にディスクを交換の為に出し入れ可能にするための開口部を設け、この開口部を蓋で塞いでいる。蓋は本体ケースの平面と平行な面上で枢軸まわりに水平回動自在に装着されている。蓋の回動先端部には弾性アームを設け、この弾性アーム先端の係止爪を本体ケース側の係止孔に係合させることで開口部の閉じ状態を保持し、ピン等の押圧具を前記係止孔に差し込んで前記係止爪の係合状態を解除することにより、蓋を開き操作することができる。
【０００３】
【発明が解決しようとする課題】
しかし、上記蓋を持つディスクカートリッジでは、蓋を一度開閉したか否かを検知する手段（以下、本明細書において蓋開閉検知手段という。）を備えていないため、ディスクドライブ側に装填したとき、本体ケース内のディスクが他のディスクと交換されているか否かを判別することができなかった。
【０００４】
そこで本発明の目的は、本体ケース内のディスクが交換されているか否かをハード側で検知できる蓋開閉検知手段を備えたディスクカートリッジを提供するにある。本発明の目的は、蓋開閉検知手段の検知孔の開閉の簡易化を図れるディスクカートリッジを提供するにある。
【０００５】
【課題を解決するための手段】
本発明のディスクカートリッジは、記録媒体のディスク２が回転自在に収容される本体ケース１にディスク出し入れ用の開口部５を設ける。この開口部５は、本体ケース１の一側面８の全長にわたって開口された主面開口５ａと、該一側面８の両端に隣接する本体ケース１の他側壁６・６の該一側面８寄り端部に開口された側面開口５ｂ・５ｂとからなる。本体ケース１に、開口部５を開閉する蓋７が本体ケース１の平面と平行な面上で枢軸２０まわりに水平回動自在に装着されている。
【０００６】
かかるディスクカートリッジにおいて、本発明は、蓋７が閉じ状態で該蓋７の上下面と対向する本体ケース１の上壁２２または下壁２８に、蓋開閉検知孔２７を開口する。蓋７は、主面開口５ａをこれの内部に入り込んで塞ぐ主面壁９と、この主面壁９の一端部から略直角に延出形成されて側面開口５ｂをこれの内部に入り込んで塞ぐ側面壁１０と、主面壁９の内面側にディスク２の円周に沿うよう円弧状に形成された内周壁１１とを有し、前記側面壁１０の延出側端部と内周壁１１の一端部とは一体につなぐ。前記主面壁９と内周壁１１との間に肉抜き空間部１７を設ける。蓋７の肉抜き空間部１７内に、閉蓋状態で蓋開閉検知孔２７と連通する中空部３１を有する縦筒部３０を設け、その中空部３１内に蓋開閉検知孔２７を開閉する弁体２９を組み込む。弁体２９は、蓋開閉検知孔２７に突入して該蓋開閉検知孔２７を閉じる位置と、中空部３１の内奥へ押し込まれて蓋開閉検知孔２７を開ける位置とにわたって中空部３１内に上下移動可能に組み込まれ、蓋開閉検知孔２７の開位置では弁体２９の位置決め固定手段を設けてある。前記位置決め固定手段は、弁体２９の外周に縦筒部３０の中空部３１の内周面に対し摺接自在な弾性逆止爪３７を設け、縦筒部３０の中空部３１の内奥に前記弾性逆止爪３７が係合する係合溝３４を設けている。
【０００７】
【作用】
本体ケース１内のディスク２を交換するときは、蓋開閉検知孔２７内に突入している弁体２９を縦筒部３０の中空部３１内に押し込んで位置決め固定手段で開位置に停止保持することで蓋開閉検知孔２７を開けることができるとともに、蓋７の開き操作を可能にする。従って、蓋７を開いてディスク２を開口部５から取り出し、他の単体ディスクと入れ替えることができる。このように一旦ディスク２が入れ替えられたディスクカートリッジは蓋開閉検知孔２７が開き状態にあるので、ディスクドライブに装填したとき該ドライブ側の検出部材を蓋開閉検知孔２７に挿入することで、蓋７が一度開閉されてディスク２の入れ替えが行われていることを自動的に判別できる。
【０００８】
蓋開閉検知手段としては、蓋７および本体ケース１とは別体の弁体２９を採用するに代えて、その他に、例えば、弁体を本体ケース１または蓋７に薄肉ヒンジを介して折り取り可能に一体に連設しておいて、本体ケース１内のディスク２を交換するときその弁体の薄肉ヒンジ部を折り取るようにすることも考えられるが、これでは弁体の折り取りに手間がかかるばかりか、折り取った弁体を本体ケース１から外部へ排出させる必要があり、この排出にも手間がかかり、本体ケース１内に残したままにしておくと、蓋７の開閉回動時にかみ込むなどの不具合が生じる。これに対し、上記構成のように弁体２９を中空部３１の内奥へ押し込んで停止保持させておくと、折り取り方式のごとき折り取りや排出の手間を省くことができ、また蓋７の開閉回動時にかみ込むなどの不具合が無くなる。
【０００９】
【発明の実施の形態】
図１ないし図４は本発明に係るディスクカートリッジの一実施例を示す。図２においてディスクカートリッジは、薄型四角形状の本体ケース１の内部に、上下両面に映像・音声・情報等の信号が記録される光ディスク等のディスク２を回転自在に収容する。本体ケース１はプラスチック製の上ケース１ａと下ケース１ｂとを突き合わせて一体的に結合してなり、上ケース１ａおよび下ケース１ｂの前側部の左右方向中央部から後方に向けて信号読み書き用の窓３を開口し、この窓３を左右にスライド開閉するシャッター４で塞いでいる。
【００１０】
図２および図３において、本体ケース１の後端部にはディスク２を出し入れするための開口部５を設けてある。ディスクカートリッジはこれ全体のコンパクト化を図るために、本体ケース１の左右幅寸法とディスク２の直径寸法とを可及的に接近して設定する。このため、開口部５は、本体ケース１の後側面８の左右全長にわたって形成される主面開口５ａと、本体ケース１の左右側壁６・６の後端側のみに開口した側面開口５ｂ・５ｂとで、平面視においてコ字状に開口する。この開口部５はプラスチック製の蓋７で開閉できる。
【００１１】
図３において、蓋７は主面開口５ａの内部に入り込んでこれを塞ぐ形に形成された主面壁９を有し、更に主面壁９の左右方向の両端部から前方へ略直角に延出形成されて、左右の側面開口５ｂ・５ｂの内部に入り込んでこれを塞ぐ側面壁１０・１０を有する。側面壁１０の外側面には、本体ケース１の後端寄りに設けた位置決め用の凹部１５に対応するコ字状の切欠部１６を設ける。主面壁９には開蓋時に指先を掛けることのできる指掛け用の凹部１４を設ける。主面壁９の内面側には、ディスク２の円周に沿うよう円弧状に形成されて該ディスク２の開口部５方向への移動を規制するための内周壁１１が一体に形成される。この内周壁１１の左右の前端部と左右の側面壁１０・１０の各前端部とは、前記主面壁９と略平行な回動基端壁１２および回動先端壁１３でそれぞれ一体につながれる。この蓋７は、重量軽減および材料節減のために主面壁９、内周壁１１および側面壁１０で囲まれる部分に肉抜き空間部１７が形成され、この肉抜き空間部１７の内部は補強リブ１９で縦横に仕切られる。
【００１２】
蓋７は片方の側面壁１０と回動基端壁１２の交わるコーナ部またはこの近傍位置から上下方向へ一体に突出成形した枢軸２０を有し、この枢軸２０の上下端を上下ケース１ａ・１ｂの左右側壁６の後端の近傍位置に凹設した軸孔（図示省略）に可回動に係合することにより、本体ケース１に組み込まれる。かくして蓋７は、開口部５の主面開口５ａおよび側面開口５ｂを塞ぐ閉じ姿勢と、枢軸２０を中心にして本体ケース１の平面と平行な面上で９０度以上、水平回動して主面開口５ａを開放する全開姿勢とにわたって切り換え自在である。
【００１３】
蓋７と本体ケース１間には、蓋７が不用意に開かないように閉じ姿勢に保持する蓋ロック手段と、ディスクドライブ側の検出部材で蓋７が一度開閉されたか否かを検知する蓋開閉検知手段とが備えられる。図３および図４に示すように、蓋ロック手段は回動先端壁１３の上端から弾性変形自在なロック片２１を前方へ一体に延出し、このロック片２１の先端に係止爪２１ａを上向きに設ける。一方、上ケース１ａの上壁２２の内面には、蓋７が閉じたとき前記係止爪２１ａが係合する係合凹部２３を設ける。上壁２２の前記係合凹部２３の後方部位には、スリット２４をコの字形状に入れて押圧壁片２５を本体ケース１の内外方向に弾性変形自在に上壁２２につなぎ部２６を介して一体形成する。
【００１４】
蓋７の開閉判別手段は、図１および図２に示すように、本体ケース１の開口部５の下壁２８に蓋開閉検知孔２７を開口する一方、蓋７側に蓋開閉検知孔２７を開閉する弁体２９を組み込む。蓋７側に弁体２９を組み込むに際しては、蓋７の肉抜き空間部１７内の補強リブ１９、内周壁１１あるいは主面壁９に縦筒部３０を一体に形成し、この縦筒部３０の内部の中空部３１に弁体２９を組み込む。縦筒部３０の中空部３１はこれの上端を上壁３２で塞ぎ、下方は開放する有底筒形状に形成し、閉蓋状態でその中空部３１が前記蓋開閉検知孔２７の上方に連通状態に位置するように設けてある。この中空部３１の下端寄り部位および上端寄り部位にはそれぞれ係合溝３３・３４を互いに平行に設けてある。一方、弁体２９は蓋開閉検知孔２７の内径よりも大きい頭部３５を有し、この頭部３５の外周に上方狭まり状のテーパ３６を外周に持つ弾性逆止爪３７を形成し、頭部３５の下方に蓋開閉検知孔２７の内径よりも少し小さい凸部３９を一体形成してなる。この弁体２９は、縦筒部３０の中空部３１内において弾性逆止爪３７が下端側の係合溝３３に係合し、凸部３９を蓋開閉検知孔２７内に突入して該検知孔２７を閉じる閉位置（図１の実線状態）と、この閉位置から押し込まれることで弾性逆止爪３７が上端側の係合溝３４に係合して蓋開閉検知孔２７を開ける位置（図１の二点鎖線状態）とにわたって上下移動可能に組み込まれる。
【００１５】
しかるときは、常態時、図２および図４に示すごとく弁体２９は縦筒部３０の中空部３１内の閉位置に弾性逆止爪３７と係合溝３３との係合で以て停止保持されていて凸部３９で蓋開閉検知孔２７を閉じており、蓋７はロック片２１の係止爪２１ａが係合凹部２３に係合することで閉じ状態に保持され、不用意に開くことがない。ディスク２を交換等のために出し入れするときは、図１に示すごとく蓋開閉検知孔２７の下方から指先、あるいはピンや鉛筆などで弁体２９を上方へ押し込む。すると、弁体２９は弾性逆止爪３７を下端側の係合溝３３との係合を解除したのち中空部３１の内面を摺接しながら上昇して上端側の係合溝３４に係合し、この係合により位置決め固定される。当該位置では凸部３９が蓋開閉検知孔２７から完全に抜け出て該検知孔２７が開かれる。次いで、蓋ロック手段の押圧壁片２５を本体ケース１の内方へ押圧することで係止爪２１ａが係合凹部２３から外れ、蓋７を回動先端側の指掛け用凹部１４に指先を掛けて枢軸２０まわりに９０度以上水平回動させることで主面開口５ａが全開し、ディスク２の出し入れを可能にする。ディスク２の交換後、蓋７は前記と反対向きに水平回動させることにより、ロック片２１の弾性変形を介して係止爪２１ａが係合凹部２３に係合する閉じロック状態を得る。
【００１６】
上記のようにディスク２が交換されたディスクカートリッジはディスクドライブに装填されると、ディスクドライブ側の検出部材が蓋開閉検知孔２７に挿入することで蓋開閉検知孔２７が開き状態であることを検知し、ディスク２が既に交換された後のディスクカートリッジであることを判別できる。弁体２９は押し込むだけで足りるため、折り取り式の弁体などに比べて簡単に蓋開閉検知孔２７を開けることができる。押し込まれた弁体２９は弾性逆止爪３７を係合溝３４に係合させることで閉位置に戻るようなことはなくて蓋開閉検知孔２７の開状態を維持できる。
【００１７】
蓋開閉検知孔２７は本体ケース１の上壁２２に設け、これに対応して弁体２９を蓋７側に組み込むこともできる。縦筒部３０が上壁３２で塞がれる有底筒形状のものに限られないが、上壁３２で塞がれている場合はこの上壁３２に空気抜き孔（図１中、破線Ｆで示す）を設けておけば、弁体２９の押し込みがスムーズに行える。なお、開口部５は本体ケース１の後側面８以外に、左右側壁６・６のいずれか一方に設けることもできる。
【００１８】
【発明の効果】
本発明によれば、ディスク出し入れ用の開口部５を開閉する蓋７は肉抜き空間部１７を設けて蓋７全体を軽量にして開閉操作を軽快にし、しかも該肉抜き空間部１７を蓋開閉検知用の弁体２９の設置スペースに利用することでこの弁体２９を蓋７にコンパクトに簡単に組み込むことができる。
【００１９】
本体ケース１内のディスク２を交換するとき弁体２９を蓋開閉検知孔２７から開位置へ押し込み移動させておけば、ディスクドライブ側の検出部材が蓋開閉検知孔２７に挿入することで該検知孔２７の開状態を検出することができ、ディスク交換後のディスクカートリッジであるか否かを容易に判別できる。押し込まれた弁体２９は当該開位置に位置決め固定手段で確実に停止保持されるため閉位置に戻るようなことがなく、誤検出を防止でき、蓋７の開閉回動時にかみこむ等の不具合な問題をも解消できる。
【図面の簡単な説明】
【図１】図２におけるＡ−Ａ線拡大断面図である。
【図２】ディスクカートリッジ全体の一部破断平面図である。
【図３】蓋半開き状態で示す要部の平面図である。
【図４】図２におけるＢ−Ｂ線拡大断面図である。
【符号の説明】
１  本体ケース
２  ディスク
５  開口部
５ａ  主面開口
５ｂ  側面開口
７  蓋
９  主面壁
１０  側面壁
１１  内周壁
１２  回動基端壁
１７  肉抜き空間部
２０  枢軸
２２  本体ケースの上壁
２７  蓋開閉検知孔
２８  本体ケースの下壁
２９  弁体
３０  縦筒部
３１  中空部
３４  係合溝
３７  弾性逆止爪
【図１】
0003568689.tif 000002
【図２】
0003568689.tif 000003
【図３】
0003568689.tif 000004
【図４】
0003568689.tif 000005